(57)【特許請求の範囲】
【請求項１】
表側に表示画面を有する直方体形状の表示器本体と、
前記表示器本体の四隅に埋設され先端部にネジ穴が設けられ前記表示器本体の裏側から夫々所定の長さ引出して固定可能な４本の脚と、
を備え、
前記ネジ穴は、前記脚の先端部に回動可能に保持された回動子に設けられ、前記脚の向く方向に対して前記ネジ穴の向く方向を変更可能であることを特徴とする表示器。
【請求項２】
前記脚は、複数段の伸長が可能であることを特徴とする請求項１に記載の表示器。
【発明の詳細な説明】
【技術分野】
【０００１】
本発明は、表示画面を有する表示器に関する。
【背景技術】
【０００２】
従来、機器底面の少なくとも一方の側（機器前部側）に長さが伸縮自在の可動スライド脚を設けた電気機器が開示されている。前記可動スライド脚の一部は機器底面に固定され、外方に突出しないときは、機器内部に突出するよう、機器内にそのスペースを設けている（例えば、特許文献１参照）。
【０００３】
また、放射線を検出する放射線検出部が収容された筐体と、前記筐体に設けられ、前記放射線検出部の検出面を側方に向くように前記筐体を自立させる自立脚と、を備え、前記自立脚は、一端部が回動可能に前記筐体に連結され、他端部を前記筐体から離すことで前記筐体を自立させる可搬型放射線検出器が開示されている（例えば、特許文献２参照）。
【先行技術文献】
【特許文献】
【０００４】
【特許文献１】特開昭６１−１７４７９７号公報
【特許文献２】特開２０１０−４８９４５号公報
【発明の概要】
【発明が解決しようとする課題】
【０００５】
しかしながら、上記特許文献１、２に開示された従来の技術によれば、機器を台上又は机上に置くことはできるが、機器を壁や天井に据え付けることができない、という問題があった。
【０００６】
本発明は、上記に鑑みてなされたものであって、壁や天井への据え付けが容易な表示器を得ることを目的とする。
【課題を解決するための手段】
【０００７】
上述した課題を解決し、目的を達成するために、本発明は、表側に表示画面を有する直方体形状の表示器本体と、前記表示器本体の四隅に埋設され先端部にネジ穴が設けられ前記表示器本体の裏側から夫々所定の長さ引出して固定可能な４本の脚と、を備えることを特徴とする。
【発明の効果】
【０００８】
本発明によれば、脚の先端部にネジ穴が設けられているので、壁板や天井板の裏側から、壁板や天井板に設けられたネジ通し孔を通して、止めネジを脚の先端部のネジ穴にネジ込むことにより、表示器を、所定の傾斜角度で、容易に壁や天井に据え付けることができる、という効果を奏する。
【図面の簡単な説明】
【０００９】
【図１】図１は、本発明に係る表示器の実施の形態１を示す後方斜視図である。
【図２】図２は、実施の形態１の表示器の前方斜視図である。
【図３】図３は、実施の形態１の表示器の脚を不均等に引出した状態を示す後方斜視図である。
【図４−１】図４−１は、実施の形態１の脚を示す斜視図である。
【図４−２】図４−２は、実施の形態１の脚を示す側面図である。
【図４−３】図４−３は、実施の形態１の脚を示す下面図である。
【図５】図５は、図３の状態の表示器を机上に置いた状態を示す側方斜視図である。
【図６】図６は、表示器から実施の形態１の脚を全部引出し、脚の先端を薄板にネジ止めした状態を示す側面図である。
【図７】図７は、表示器から実施の形態１の脚を上下で異なる長さに引出し、脚の先端を薄板にネジ止めした状態を示す側面図である。
【図８】図８は、表示器から実施の形態１の脚を上下で異なる長さに引出し、脚の先端を厚板にネジ止めした状態を示す側面図である。
【図９−１】図９−１は、実施の形態２の脚を示す分解斜視図である。
【図９−２】図９−２は、実施の形態２の脚の回動子を示す正面、側面、下面及び斜視図である。
【図１０−１】図１０−１は、実施の形態２の脚の下面図である。
【図１０−２】図１０−２は、図１０−１のＡ−Ａ線に沿う断面図である。
【図１０−３】図１０−３は、図１０−１のＢ−Ｂ線に沿う断面図である。
【図１０−４】図１０−４は、回動子を傾けた状態の図１０−２と同様の図である。
【図１１】図１１は、表示器から実施の形態２の脚を上下で異なる長さに引出し、脚の先端を薄板にネジ止めした状態を示す側面図である。
【図１２−１】図１２−１は、表示器から実施の形態２の脚を上下で異なる長さに引出し、脚の先端を厚板にネジ止めした状態を示す側面図である。
【図１２−２】図１２−２は、薄板への実施の形態２の脚のネジ止め方法の他の例を示す部分側面図である。
【図１２−３】図１２−３は、厚板への実施の形態２の脚のネジ止め方法の他の例を示す部分側面図である。
【図１２−４】図１２−４は、厚板への実施の形態２の脚のネジ止め方法のさらに他の例を示す部分側面図である。
【図１３】図１３は、表示器をプレートにネジ止めした状態を示す斜視図である。
【図１４−１】図１４−１は、実施の形態３の伸長脚を示す分解斜視図である。
【図１４−２】図１４−２は、実施の形態３の伸長脚を示す斜視図である。
【図１４−３】図１４−３は、実施の形態３の伸長脚を引込管に接続した状態を示す斜視図である。
【図１５−１】図１５−１は、実施の形態４の脚を示す斜視図である。
【図１５−２】図１５−２は、実施の形態４の脚の変形例を示す斜視図である。
【図１６】図１６は、実施の形態５の脚を示す斜視図である。
【発明を実施するための形態】
【００１０】
以下に、本発明に係る表示器の実施の形態を図面に基づいて詳細に説明する。なお、この実施の形態によりこの発明が限定されるものではない。
【００１１】
実施の形態１．
図１は、本発明に係る表示器の実施の形態１を示す後方斜視図であり、図２は、実施の形態１の表示器の前方斜視図であり、図３は、実施の形態１の表示器の脚を不均等に引出した状態を示す後方斜視図であり、図４−１は、実施の形態１の脚を示す斜視図であり、図４−２は、実施の形態１の脚を示す側面図であり、図４−３は、実施の形態１の脚を示す下面図である。
【００１２】
図１〜図４−３に示すように、実施の形態１の表示器９１は、表側１１ｂに表示画面１１ａを有する直方体形状の表示器本体１１と、表示器本体１１の四隅に埋設され先端部１３ａにネジ穴１５が設けられ表示器本体１１の裏側１１ｃから夫々所定の長さ引出して固定可能な４本の脚１３と、を備えている。
【００１３】
図５は、図３の状態の表示器を机上に置いた状態を示す側方斜視図である。図５に示すように、表示器９１は、表示画面１１ａの下側の２本の脚１３を縮め、表示画面１１ａの上側の２本の脚１３を所定の長さ引出して固定した状態で、机８１上に載置することにより、机８１の手前側から表示画面１１ａを見易くすることができる。なお、脚１３の先端部１３ａは、ゴム材料により形成するか、若しくは、ゴム材料をコーティングすると、表示器９１を机８１上に設置したときに、先端部１３ａの摩擦力が大きくなり、表示器９１が机８１上で安定する。
【００１４】
図６は、表示器から実施の形態１の脚を全部引出し、脚の先端を薄板にネジ止めした状態を示す側面図である。図６に示すように、表示器９１は、４本の脚１３を均等に引出し、薄板（壁板）８２に設けたネジ通し孔８２ａを通して、脚１３のネジ穴１５に止めネジ１７をネジ込むことにより、薄板（壁板）８２に取付けることができる。この取付け方は、表示器９１をユーザーの目の高さと同じ高さに取付けるときに用いられる。
【００１５】
図７は、表示器から実施の形態１の脚を上下で異なる長さに引出し、脚の先端を薄板にネジ止めした状態を示す側面図である。図７に示すように、表示器９１は、表示画面１１ａの下側の２本の脚１３を縮め、表示画面１１ａの上側の２本の脚１３を所定の長さ引出して固定した状態で、薄板８２に設けたネジ通し孔８２ａを通して、脚１３のネジ穴１５に止めネジ１７をネジ込むことにより、薄板８２に取付けることができる。この取付け方は、表示器９１をユーザーの目の高さよりも高い位置に取付けるときに用いられる。
【００１６】
図８は、表示器から実施の形態１の脚を上下で異なる長さに引出し、脚の先端を厚板にネジ止めした状態を示す側面図である。図８に示すように、表示器９１は、表示画面１１ａの下側の２本の脚１３を縮め、表示画面１１ａの上側の２本の脚１３を所定の長さ引出して固定した状態で、厚板（壁板）８３に設けた傾斜ネジ通し孔８３ａを通して、脚１３のネジ穴１５に長い止めネジ２７をネジ込むことにより、厚板（壁板）８３に取付けることができる。この取付け方は、表示器９１を、厚板８３のユーザーの目の高さよりも高い位置に取付けるときに用いられる。この方法は、厚板（壁板）８３に傾斜ネジ通し孔８３ａを加工する必要があり、加工に手間がかかる。
【００１７】
実施の形態２．
図９−１は、実施の形態２の脚を示す分解斜視図であり、図９−２は、実施の形態２の脚の回動子を示す正面、側面、下面及び斜視図であり、図１０−１は、実施の形態２の脚の下面図であり、図１０−２は、図１０−１のＡ−Ａ線に沿う断面図であり、図１０−３は、図１０−１のＢ−Ｂ線に沿う断面図であり、図１０−４は、回動子を傾けた状態の図１０−２と同様の図である。
【００１８】
図９−１〜図１０−４に示すように、実施の形態２の脚２３は、筒状の中空脚２３ａと、中空脚２３ａの半球状先端部２３ａａ内に収納される回動子２３ｂと、中空脚２３ａ内に挿入され回動子２３ｂを回動可能に支持する棒状の支持脚２３ｃと、を備えている。
【００１９】
中空脚２３ａの半球状先端部２３ａａには、扇形のネジ通し孔２３ａｂが設けられている。回動子２３ｂは、ネジ穴２５が設けられた半球状頭部２３ｂａと、半球状頭部２３ｂａの後方へ突出するガイド部２３ｂｂと、を有している。支持脚２３ｃの先端には、回動子２３ｂのガイド部２３ｂｂを両側から挟み先端凸部で回動子２３ｂの半球状頭部２３ｂの後面を回動可能に点支持する２つの対向する山形支持部２３ｃａと、２つの山形支持部２３ｃａの裾の間から前方へ突出し回動子２３ｂが所定角度回動したときに、半球状頭部２３ｂａの後面に当接して回動を止める２つの対向するストッパ２３ｃｂと、が設けられている。
【００２０】
図１０−４に示すように、実施の形態２の脚２３は、回動子２３ｂが、図の上下方向に、半球状頭部２３ｂの後面がストッパ２３ｃｂに当接するまで回動可能であり、脚２３の向く方向に対してネジ穴２５の向く方向を変えることができる。
【００２１】
図１１は、実施の形態の表示器の実施の形態２の脚を上下で異なる長さに引出し脚の先端を薄板にネジ止めした状態を示す側面図である。図１１に示すように、表示器９２は、表示画面１１ａの下側の２本の脚２３を縮め、表示画面１１ａの上側の２本の脚２３を所定の長さ引出して固定した状態で、薄板８２に設けたネジ通し孔８２ａ通して、脚２３のネジ穴２５に止めネジ１７をネジ込むことにより、薄板８２に取付けることができる。
【００２２】
実施の形態２の脚２３は、ネジ穴２５を薄板８２に対して垂直に向けることができるので、止めネジ１７の向きが薄板８２に対して垂直となり、止めネジ１７の頭が薄板８２に片当りして止めネジ１７が変形してしまうようなことがない。
【００２３】
なお、回動子２３ｂは、ガイド部２３ｂｂが、支持脚２３ｃの２つの山形支持部２３ｃａの間に挟まれて、図１０−４の上下方向にのみ回動する。そのため、ネジ穴２５が回動しても、常に、扇形のネジ通し孔２３ａｂからネジ穴２５の位置を視認することができる。
【００２４】
図１２−１は、表示器の実施の形態２の脚を上下で異なる長さに引出し、脚の先端を厚板にネジ止めした状態を示す側面図であり、図１２−２は、垂直薄板への実施の形態２の脚のネジ止め方法の他の例を示す部分側面図であり、図１２−３は、厚板への実施の形態２の脚のネジ止め方法の他の例を示す部分側面図であり、図１２−４は、厚板への実施の形態２の脚のネジ止め方法のさらに他の例を示す部分側面図である。
【００２５】
図１２−１に示すように、表示器９２は、表示画面１１ａの下側の２本の脚２３を縮め、表示画面１１ａの上側の２本の脚２３を所定の長さ引出して固定した状態で、厚板８３に設けた、板面に垂直なネジ通し孔８３ｂを通して、脚２３のネジ穴２５に止めネジ２７をネジ込むことにより、厚板８３に取付けることができる。
【００２６】
実施の形態２の脚２３は、ネジ穴２５を厚板８３に対して垂直に向けることができるので、止めネジ２７の向きが厚板８３に対して垂直となり、止めネジ２７の頭が厚板８３に片当りして止めネジ２７が変形してしまうようなことがない。また、厚板８３の板面に垂直なネジ通し孔８３ｂを加工すればよいので、孔加工が容易である。
【００２７】
図１２−２に示すように、薄板８２に設けた皿ネジザグリ孔８２ｂを通して、脚２３のネジ穴２５に皿ネジ３７をネジ込むことにより、薄板８２の板面から皿ネジ３７の頭を突出させないようにすることができる。
【００２８】
図１２−３に示すように、厚板８３に設けた皿ネジザグリ孔８３ｃ及びネジ通し孔８３ｂを通して脚２３のネジ穴２５に皿ネジ４７をネジ込むことにより、厚板８３の板面から皿ネジ４７の頭を突出させないようにすることができる。
【００２９】
図１２−４に示すように、厚板８３に設けた円形ザグリ孔８３ｄ及びネジ通し孔８３ｂを通して脚２３のネジ穴２５に止めネジ５７をネジ込むことにより、厚板８３の板面から止めネジ５７の頭を突出させないようにすることができる。
【００３０】
また、表示器９１、９２を、壁面、天井面又は盤面に取付ける場合、その壁の厚さが薄い場合は、図６、図７又は図１１に示す取付方法と同様にして、取付けることができる。また、その壁の厚さが厚い場合は、図８、図１２−１、図１２−３又は図１２−４に示す方法と同様にして、取付けることができる。
【００３１】
図１３は、表示器をプレートにネジ止めした状態を示す斜視図である。壁面、天井面又は盤面の背面側で、表示器９１、９２の取付作業ができないときは、図１３に示すように、図６、図７又は図１１に示す取付方法と同様に、表示器９１、９２をプレート８４に取付け、プレート８４を、壁面、天井面又は盤面に、粘着材やネジなどにより取付ければよい。なお、脚１３、２３の引出し長さ及びプレート８４に対する表示器９１、９２の取付け角度は、図１３に示すものに限定されるものではない。
【００３２】
実施の形態３．
図１４−１は、実施の形態３の伸長脚を示す分解斜視図であり、図１４−２は、実施の形態３の伸長脚を示す斜視図であり、図１４−３は、実施の形態３の伸長脚を引込管に接続した状態を示す斜視図である。
【００３３】
図１４−１及び図１４−２に示すように、実施の形態３の伸長脚３３は、先端部にネジ穴３５が設けられ後端外周部に雄ネジ３３ａａが設けられた棒状の脚３３ａと、先端内周部に雌ネジ３３ｂａが設けられ後端外周部に雄ネジ３３ｂｂが設けられた筒状の継脚３３ｂと、を有している。脚３３ａを継脚３３ｂの後方から継脚３３ｂ内に挿入し、雄ネジ３３ａａを継脚３３ｂの雌ネジ３３ｂａにネジ込めば、伸長脚３３となる。
【００３４】
図１４−３に示すように、表示器本体１１（図１３参照）内に埋設される引込管３３ｃの先端内周部に設けられた雌ネジ３３ｃａに、伸長脚３３の後端の雄ネジ３３ｂｂをネジ込めば、表示器本体１１の高さより長い伸長脚３３を、表示器本体１１に取付けることができる。上記の２箇所のネジ込みを解けば、脚３３ａ及び継脚３３ｂを引込管３３ｃ内に引込むことができる。すなわち、伸長脚（脚）３３は、複数段（２段）の伸長が可能である。なお、伸長段数は、２段に限定されるものではなく、３段以上であってもよい。
【００３５】
実施の形態４．
図１５−１は、実施の形態４の脚を示す斜視図である。図１５−１に示すように、実施の形態４の脚４３は、先端中心部にネジ穴４５が設けられ、先端外周部に摘み部４３ａｂが設けられ、後端外周部に２つの突起４３ａａが設けられた棒状の脚４３ａと、表示器本体１１内に埋設され脚４３ａが引込まれる筒状の引込管４３ｃと、を有している。引込管４３ｃには、略全長に亘る２本の縦溝４３ｃａと、縦溝４３ｃａの先端側で縦溝４３ｃａから周方向に屈折する短い横溝４３ｃｂとが設けられている。
【００３６】
脚４３ａの突起４３ａａは、引込管４３ｃの縦溝４３ｃａに嵌合される。摘み部４３ａｂを摘まんで脚４３ａを引込管４３ｃ内から引出し、突起４３ａａが縦溝４３ｃａの先端部に当たったところで脚４３ａを回転させ、突起４３ａａを横溝４３ｃｂに嵌合させて脚４３ａを引込管４３ｃに固定する。
【００３７】
図１５−２は、実施の形態４の脚の変形例を示す斜視図である。図１５−２に示すように、変形例の脚４３Ｈでは、引込管４３ｃの縦溝４３ｃａの先端側で縦溝４３ｃａから周方向に屈折する短い横溝４３ｃｂの他に、縦溝４３ｃａの中間部から周方向に屈折する中間横溝４３ｃｃが設けられている。また、脚４３Ｈの中間部には、脚４３Ｈの所定の中間引出し長さを示す目印線４３ａｃが設けられている。
【００３８】
変形例の脚４３Ｈによれば、脚４３Ｈを、目印線４３ａｃが表示器本体１１の裏面に位置するまで引出したところで脚４３Ｈを回転させ、突起４３ａａを中間横溝４３ｃｃに嵌合させれば、脚４３Ｈを所定の中間引出し長さで固定することができる。
【００３９】
実施の形態５．
図１６は、実施の形態５の脚を示す斜視図である。図１６に示すように、実施の形態５の脚５３は、先端中心部にネジ穴５５が設けられ、先端外周部に摘み部５３ａｂが設けられ、外周部の後端部から先端部に亘って複数（５個）の穴５３ａａが設けられた棒状の脚５３ａと、表示器本体１１内に埋設され脚５３ａが引込まれる筒状の引込管５３ｃと、を有している。
【００４０】
また、表示器本体１１の側面には、ネジ孔５３ｃｃが設けられ、引込管５３ｃには、ネジ孔５３ｃｃに対向するネジ通し孔（図示せず）が設けられ、脚５３ａには、夫々の穴５３ａａの位置がネジ孔５３ｃｃの位置に一致する脚５３の引出し長さを示す複数の目印線５３ａｃが設けられている。
【００４１】
脚５３ａの摘み部５３ａｂを摘まんで脚５３ａを引込管５３ｃ内から所定の長さ引出し、目印線５３ａｃが表示器本体１１の裏面に位置するところで、止めネジ５３ｃｂをネジ孔５３ｃｃにネジ込み、止めネジ５３ｃｂの先端を脚５３ａのいずれかの穴５３ａａに嵌合させれば、脚５３ａを所定の中間引出し長さで固定することができる。
【符号の説明】
【００４２】
１１  表示器本体
１１ａ  表示画面
１１ｂ  表側
１１ｃ  裏側
１３  脚
１３ａ  先端部
１５  ネジ穴
１７、２７  止めネジ
２３  脚
２３ａ  中空脚
２３ａａ  半球状先端部
２３ａｂ  ネジ通し孔
２３ｂ  回動子
２３ｂａ  半球状頭部
２３ｂｂ  ガイド部
２３ｃ  支持脚
２３ｃａ  山形支持部
２３ｃｂ  ストッパ
２５  ネジ穴
３５  ネジ穴
３７  皿ネジ
４７  皿ネジ
５７  止めネジ
３３  伸長脚
３３ａ  脚
３３ａａ  雄ネジ
３３ｂ  継脚
３３ｂａ  雌ネジ
３３ｂｂ  雄ネジ
３３ｃ  引込管
３３ｃａ  雌ネジ
４３  脚
４３ａ  脚
４３ａａ  突起
４３ａｂ  摘み部
４３ａｃ  目印線
４３ｃ  引込管
４３ｃａ  縦溝
４３ｃｂ  横溝
４３ｃｃ  中間横溝
４５  ネジ穴
４３Ｈ  脚
５３  脚
５３ａ  脚
５３ａｂ  摘み部
５３ａａ  穴
５３ａｃ  目印線
５３ｃ  引込管
５３ｃｃ  ネジ孔
５３ｃｂ  止めネジ
５５  ネジ穴
８１  机
８２  薄板（壁板）
８２ａ  ネジ通し孔
８２ｂ  皿ネジザグリ孔
８３  厚板（壁板）
８３ａ  傾斜ネジ通し孔
８３ｂ  ネジ通し孔
８３ｃ  皿ネジザグリ孔
８３ｄ  円形ザグリ孔
８４  プレート
９１、９２  表示器
【図１】
0005791550.tif 000002
【図２】
0005791550.tif 000003
【図３】
0005791550.tif 000004
【図４−１】
0005791550.tif 000005
【図４−２】
0005791550.tif 000006
【図４−３】
0005791550.tif 000007
【図５】
0005791550.tif 000008
【図６】
0005791550.tif 000009
【図７】
0005791550.tif 000010
【図８】
0005791550.tif 000011
【図９−１】
0005791550.tif 000012
【図９−２】
0005791550.tif 000013
【図１０−１】
0005791550.tif 000014
【図１０−２】
0005791550.tif 000015
【図１０−３】
0005791550.tif 000016
【図１０−４】
0005791550.tif 000017
【図１１】
0005791550.tif 000018
【図１２−１】
0005791550.tif 000019
【図１２−２】
0005791550.tif 000020
【図１２−３】
0005791550.tif 000021
【図１２−４】
0005791550.tif 000022
【図１３】
0005791550.tif 000023
【図１４−１】
0005791550.tif 000024
【図１４−２】
0005791550.tif 000025
【図１４−３】
0005791550.tif 000026
【図１５−１】
0005791550.tif 000027
【図１５−２】
0005791550.tif 000028
【図１６】
0005791550.tif 000029